(57)【要約】  本発明は、化粧品容器を把持する工程、容器から塗布具を取り出す工程、塗布具を格納する工程において、使用者が効果的かつ快適に使用できる化粧品容器を提供するものである。本発明の化粧品容器は、使用者の片手で保持できる化粧品容器であって、塗布具が配置され、長さ方向と垂直な方向の断面が略円形に形成された第一容器と、前記第一容器と着脱自在に係合し、前記第一容器よりも長さが長く、長さ方向と垂直な方向の断面が略円形に形成され、塗布用物質が貯留される第二容器とを、備え、前記第一容器と前記第二容器が係合したときの化粧品容器の外形が略紡錘形に形成され、第一容器の長さ、第二容器の長さ、及び各部の直径が所定の数値範囲に規定されている。
2017145200.tif 000002
【特許請求の範囲】
【請求項１】
使用者の片手で保持できる化粧品容器であって、
塗布具が配置され、長さ方向と垂直な方向の断面が略円形に形成された第一容器と、
前記第一容器と着脱自在に係合し、前記第一容器よりも長さが長く、長さ方向と垂直な方向の断面が略円形に形成され、塗布用物質が貯留される第二容器とを、
備え、
前記第一容器と前記第二容器が係合したときの化粧品容器の外形が略紡錘形に形成され、
前記化粧品容器の長さにおいて、前記第一容器の長さは３０％以上４５％以下を占め、前記第二容器の長さは５５％以上７０％以下を占めるように形成され、
前記化粧品容器の長さ方向の中間位置を第一中間位置とし、前記第一中間位置と前記化粧品容器の閉塞端部までの長さの中間位置を第二中間位置とし、前記第二中間位置と前記閉塞端部までの長さの中間位置を第三中間位置とするとき、前記第一中間位置における直径φ２が前記化粧品容器における最大直径であり、前記第二中間位置における直径φ３の前記直径φ２に対する比率φ３／φ２が０．８５以上０．９０以下であり、前記第三中間位置における直径φ４の前記直径φ２に対する比率φ４／φ２が０．５２以上０．５６以下であり、
前記第一容器の開口端部と前記第二容器の開口端部が接する位置における直径φ５の前記直径φ２に対する比率φ５／φ２が、０．９４以上０．９８以下となるように形成された、
化粧品容器。
【請求項２】
前記第一容器及び前記第二容器は、それぞれ、略相似形状に形成された内側部材と外側部材を有し、
前記外側部材は透明性を有する材料で形成され、
前記外側部材の大部分の壁厚は、前記直径φ２の８％以上９．５％以下である、
請求項１に記載の化粧品容器。
【請求項３】
前記第一容器と前記第二容器とは、一方の雄螺子が他方の雌螺子と螺合することで係合するように形成されており、
前記内側部材の開口端部近傍の外周に円状の突条が形成され、
前記外側部材の開口端部近傍の内周に円状の凹溝が形成され、
前記突条には、少なくとも１つの凹部が形成され、
前記凹溝には、前記凹部と同数の突部が形成され、
前記突条と前記凹溝が係合することで、前記内側部材と前記外側部材が前記化粧品容器の長さ方向にずれることが防止され、
前記凹部と前記凸部が係合することで、前記内側部材と前記外側部材とが相対的に回転することが防止されように構成されている、
請求項２に記載の化粧品容器。
【発明の詳細な説明】
【技術分野】
【０００１】
本発明は化粧品容器に関する。
【背景技術】
【０００２】
使用者が効果的かつ快適に、容器を操作して、マスカラ等の化粧料を塗布できることが、化粧料塗布用の化粧品容器にとって重要である。【０００３】
例えば特許文献１において、見栄えが良好で、被塗布部が面のような場合にも塗布しやすい塗布用容器が提案されている。
【先行技術文献】
【特許文献】
【０００４】
【特許文献１】特開２００８−６７９５９
【発明の概要】
【発明が解決しようとする課題】
【０００５】
ところで、使用者が塗布用の化粧品容器を使用するときには、容器を把持し（ステップ１）、容器から塗布具を取り出し（ステップ２）、塗布具に化粧料を付し（ステップ３）、顔等に化粧料を塗布し（ステップ４）、塗布後に塗布具を格納する（ステップ５）という一連の動作が必要である。しかし、従来の技術においては、ステップ３とステップ４についての改善は提案されているが、ステップ１、２及び５に関連する問題についての改善は不十分である。【０００６】
本発明は、上記を踏まえて、塗布用の化粧品容器を把持する工程、容器から塗布具を取り出す工程、塗布具を格納する工程において、使用者が効果的かつ快適に使用できる化粧品容器を提供するものである。
【課題を解決するための手段】
【０００７】
第一の発明は、使用者の片手で保持できる化粧品容器であって、塗布具が配置され、長さ方向と垂直な方向の断面が略円形に形成された第一容器と、前記第一容器と着脱自在に係合し、前記第一容器よりも長さが長く、長さ方向と垂直な方向の断面が略円形に形成され、塗布用物質が貯留される第二容器とを、備え、前記第一容器と前記第二容器が係合したときの化粧品容器の外形が略紡錘形に形成され、前記化粧品容器の長さにおいて、前記第一容器の長さは３０％以上４５％以下を占め、前記第二容器の長さは５５％以上７０％以下を占めるように形成され、前記化粧品容器の長さ方向の中間位置を第一中間位置とし、前記第一中間位置と前記化粧品容器の閉塞端部までの長さの中間位置を第二中間位置とし、前記第二中間位置と前記閉塞端部までの長さの中間位置を第三中間位置とするとき、前記第一中間位置における直径φ２が前記化粧品容器における最大直径であり、前記第二中間位置における直径φ３の前記直径φ２に対する比率φ３／φ２が０．８５以上０．９０以下であり、前記第三中間位置における直径φ４の前記直径φ２に対する比率φ４／φ２が０．５２以上０．５６以下であり、前記第一容器の開口端部と前記第二容器の開口端部が接する位置における直径φ５の前記直径φ２に対する比率φ５／φ２が、０．９４以上０．９８以下となるように形成された、化粧品容器である。【０００８】
本発明の発明者は、全体として棒状で、片手で保持できる化粧品容器について、化粧品容器の操作時における人間の掌及び指の動きと化粧品容器の構造の関係を研究し、試行錯誤の結果、第一の発明の構成によれば、化粧品容器を把持する工程、容器から塗布具を取り出す工程、塗布具を格納する工程において、使用者が効果的かつ快適に使用できることを見出した。  【０００９】
第二の発明は、第一の発明の構成において、前記第一容器及び前記第二容器は、それぞれ、略相似形状に形成された内側部材と外側部材を有し、前記外側部材は透明性を有する材料で形成され、前記外側部材の大部分の壁厚は、前記直径φ２の８％以上９．５％以下である化粧品容器である。【００１０】
本発明の発明者は、使用者が化粧品容器を握るときに指に加える力と化粧品容器が使用者に与える視覚的効果の関係を研究し、外側部材が透明性を有する場合に、外側部材が不透明である場合に比べて、わずかに大きな力が指に加えられ、化粧品容器の操作に好適であることを見出した。これは、透明性を有する外側部材によって、使用者に外側部材よりも内側部材をより強く意識させることに起因するものと考えられる。そして、片手で保持できる程度の棒状の化粧品容器において、外側部材の大部分の壁厚が化粧品容器の最大直径φ２の８％以上９．５％以下である場合に、化粧品容器の操作にとって好適な力が加えられることに適することを見出した。好適な力が指に加えられることにより、第一容器と第二容器の係合及び離脱が効果的かつ快適に実施される。  【００１１】
第三の発明は、第二の発明の構成において、前記第一容器と前記第二容器とは、一方の雄螺子が他方の雌螺子と螺合することで係合するように形成されており、前記内側部材の開口端部近傍の外周に円状の突条が形成され、前記外側部材の開口端部近傍の内周に円状の凹溝が形成され、前記突条には、少なくとも１つの凹部が形成され、前記凹溝には、前記凹部と同数の突部が形成され、前記突条と前記凹溝が係合することで、前記内側部材と前記外側部材が前記化粧品容器の長さ方向にずれることが防止され、前記凹部と前記凸部が係合することで、前記内側部材と前記外側部材とが相対的に回転することが防止されように構成されている化粧品容器である。【００１２】
第三の発明の構成によれば、内側部材と外側部材を係合するための構成が開口端部近傍に配置されており、外側部材が透明性を有するから、使用者がその構成を視認することができる。使用者が第一容器と第二容器の係合及び離脱の操作を行うときに、開口端部近傍に力を加えるのが望ましい。本発明の構成によれば、内側部材と外側部材を係合するための構成が、開口端部近傍を示す目印となり、使用者が速やかに適切な部分に力を加えることを可能にする。
【発明の効果】
【００１３】
本発明にかかる化粧品容器によれば、化粧品容器を把持する工程、容器から塗布具を取り出す工程、塗布具を格納する工程において、使用者が効果的かつ快適に使用できる。
【図面の簡単な説明】
【００１４】
【図１】本発明の一実施形態にかかる化粧品容器の概略全体図である。
【図２】第一容器と第二容器の開口端部の端面を示す概略図である。
【図３】本発明の一実施形態にかかる化粧品容器の内部を示す概略全体図である。
【図４】第一容器の外部部材の概略断面である。
【図５】第一容器の内部部材の概略断面及び外周の一部を示す概略図である。
【図６】第二容器の外部部材を示す概略断面図である。
【図７】第二容器の内部部材を示す概略断面及び外周の一部を示す概略図である。
【発明を実施するための形態】
【００１５】
以下、図面に基づき本発明の好適な実施形態を説明する。
【００１６】
図１及び図３に示すように、化粧品容器１は、第一容器１０と第二容器５０から構成され、左右対称の紡錘形に形成されている。化粧品容器１の長さ方向（図３のＸ軸の方向）と垂直な方向の断面は略円形である。すなわち、図２に示すように、第一容器１０及び第二容器５０の長さ方向と垂直方向の断面形状は略円形である。また、第二容器５０は第一容器１０よりも長さが長く、塗布用物質（化粧料）が貯留されている。塗布用物質は、例えば、マスカラである。化粧品容器１の大きさは、片手で保持できる程度であり、携帯可能である。第一容器１０と第二容器５０は雄螺子と雌螺子で着脱自在に係合するように構成されており、係合させるとき、及び、係合を解除して離脱させるときには、例えば、第二容器５０を左手の小指以外の４本の指で保持し、第一容器１０を右手の親指、人差し指、及び中指で回転させる。
【００１７】
図３に示すように、第一容器１０は、外部部材１２及び内部部材１４で構成されている。内部部材１４にはブラシスティック１６が配置され、その先端に塗布具としてのブラシ２０が配置されている。
【００１８】
第二容器５０は、外部部材５２及び内部部材５４で構成されており、内部部材５４にはマスカラ（図示せず）が貯留されている。内部部材５４の開口端部近傍には、パッキング５６が配置されており、ブラシ２０に付着するマスカラを適度な量に制御するようになっている。ブラシ２０がパッキング５６を通過することで、余分なマスカラが内部部材５４内に落とされ、適量のマスカラがブラシ２０に残存する。
【００１９】
化粧品容器１の各部材は、樹脂で形成される。外部部材１２及び外部部材５２は、透明度の高い樹脂材料、例えば、ポリエチレンテレフタレート（ＰＥＴ）を射出成型して形成される。内側部材１４は、例えば、アクリロニトリル・ブタジエン・スチレン（ＡＢＳ）を射出成型して形成される。内部部材５４は、例えば、ポリプロピレン（ＰＰ）を射出成型して形成される。内部部材１４及び内部部材５４は不透明であり、例えば、光沢色が付されている。外部部材１２及び外部部材５２を透して、内部部材１４及び内部部材５４を視認することができる。
【００２０】
第一容器１０の開口端部近傍には雌螺子が形成され、第二容器２０の雄螺子と螺合するようになっている。双方の螺子の螺合によって、第一容器１０と第二容器２０が着脱自在に係合する。
【００２１】
本実施形態において、化粧品容器１の全体の長さＬ１（図１参照）は、１１５．２ｍｍ（ミリメートル）である。第一容器１０の長さＬ６は、長さＬ１の３０％以上４５％以下が望ましく、本実施形態においては４３．２ｍｍである。第二容器５０の長さＬ５は、長さＬ１の５５％以上７０％未満が望ましく、本実施形態においては７２ｍｍである。
【００２２】
図１に示すように、長さＬ２は長さＬ１の５０％の長さであり、長さＬ３は長さＬ２の５０％の長さであり、長さＬ４は長さＬ３の５０％の長さである。化粧品容器１のいずれかの端部から、長さＬ２の位置を第一中間位置とし、長さＬ３の位置を第二中間位置とし、長さＬ４の位置を第三中間位置とする。第一中間位置における直径φ２が化粧品容器１の最大の直径であり、化粧品容器１の端部に向かうにつれて、直径が小さくなる。第二中間位置における直径φ３の直径φ２に対する比率φ３／φ２は０．８５以上０．９０以下望ましく、本実施形態においては、φ３が１８．１ｍｍ、φ２が２０．７ｍｍであり、φ３／φ２は０．８７である。第三中間位置における直径φ４の直径φ２に対する比率φ４／φ２は０．５２以上０．５６以下が望ましく、本実施形態におけるφ４は１１．２ｍｍであり、φ４／φ２は０．５４である。
【００２３】
また、第一容器１０の開口端部と第二容器５０の開口端部が接する位置における直径φ５の直径φ２に対する比率φ５／φ２は０．９４以上０．９８以下が望ましく、本実施形態におけるφ５は１９．９ｍｍであり、φ５／φ２は０．９６である。
【００２４】
本発明の発明者は、片手で保持できる程度の棒状の化粧品容器のうち、化粧料が貯留される貯留容器（本実施形態の第二容器５０に相当する。）と、ブラシが付されているブラシ容器（本実施形態の第一容器１０に相当する。）からなる化粧品容器について、操作時における人間の掌及び指の動きと化粧品容器の構造の関係を研究した。その結果、例えば、右利きの使用者においては、貯留容器を左手の小指以外の４本の指で保持し、ブラシ容器を右手の親指、人差し指、及び中指で回転させる場合が多いことを見出し、さらに、操作時における左右の手の形状の変化や動きについて研究した。左手の４本の指で貯留容器を保持するとき、掌と４本の指で自然に形成される空間の形状は円筒形状ではなく、親指方向が拡径した略円錐形状である。また、右手についても、３本の指で自然に形成される空間の形状は円筒形状ではなく、略円錐形状である。そして、貯留容器の外形形状は、その略円錐形状に好適なものが、掌及び指の自然な形状に整合し、望ましい。本発明の発明者は、このような分析に基づいて、試行錯誤の結果、化粧品容器全体として上記のように規定された紡錘形上であり、貯留容器とブラシ容器との寸法の比率も上記の数値範囲であるときに、人の手の構造に基づく人間工学的観点から、化粧品容器を把持する工程、容器から塗布具を取り出す工程、塗布具を格納する工程において、使用者が効果的かつ快適に使用できることを見出した。  
【００２５】
外部部材１２の大部分の壁厚ｄ１（図４参照）及び外部部材５２の大部分の壁厚ｄ２（図６参照）は、直径φ２の８％以上９．５％以下に規定される。大部分というのは、外部部材１２及び外部部材５２の閉塞端部及び開口端部近傍以外の部分を意味する。望ましくは、壁厚ｄ１は直径φ２の８％以上９％以下であり、壁厚ｄ２は直径α２の８．５％以上９．５％以下である。また、壁厚ｄ１がわずかに壁厚ｄ２よりも小さい方が望ましく、本実施形態においては、壁厚ｄ１は１．７５ｍｍ、直径α２の８．５％であり、壁厚ｄ２は１．９０ｍｍ、直径φ２の９．２％である。
【００２６】
本発明の発明者は、使用者が化粧品容器を握るときに指に加える力と化粧品容器が使用者に与える視覚的効果の関係を研究した。その結果、外側部材１２及び外側部材５２が透明性を有する場合、外側部材１２及び外側部材５２が不透明である場合に比べて、わずかに大きな力が指に加えられ、化粧品容器１の操作に好適であることを見出した。これは、透明部材の存在が、使用者に対して、外側部材１２（５２）を透して視認することになる内側部材１４（５４）をより強く意識させることに起因するものと考えられる。そして、化粧品容器１において、外側部材１２（５２）の大部分の壁厚が上述の数値範囲内にあるときに、使用者が好適な力を外部部材１２（５２）に加えることを見出した。好適な力が指に加えられることにより、第一容器１０と第二容器５０の係合及び離脱が失敗することなく効果的かつ快適に実施される。
【００２７】
図４に示すように、第一容器１０の外側部材１２の閉塞端部には内側に突き出る突起１２ａが形成されており、開口端部近傍の内周には略半円状の凹溝１２ｂが形成されている。凹溝１２ｂには略半球状の凸部１２ｃが形成されている。つまり、凹溝１２ｂにおいて、凸部１２ｃの部分だけは、盛り上がっている。凸部１２ｃは、少なくとも一つ形成され、本実施形態において、凸部１２ｃは、略半円状の溝１２ｂにおいて、９０度の角度ごとに１つ、配置されている。
【００２８】
図５の上側の図は、第一容器１０の内側部材１４の概略断面図である。内側部材１４の閉塞端部に外側に向かって開放されているくぼみ部１４ａが配置されている。くぼみ部１４ａは、外側部材１２と内側部材１４が係合するときに突起１２ａと係合するようになっている。内側部材１４の開口端部近傍の外周には半円状の突条１４ｂが形成されている。この突条１４ｂは、外側部材１２と内側部材１４が係合するときに凹溝１２ｂと係合するようになっている。図５の下側の図は、内側部材１４の外周の一部を示す概略拡大図である。突条１４ｂには略半球状の凹部１４ｃが形成されている。つまり、突条１４において、凹部１４ｃの部分だけは、高さが低くなっている。凹部１４ｃは、上述の突部１２ｃと同数、同角度で配置されており、外側部材１２と内側部材１４が係合するときに凸部１２ｃと係合するようになっている。円状の突条は、その幅が化粧品容器１全体の長さＬ１の１．８％以上２．５％以下に規定されている。
【００２９】
凹溝１２ｂと突条１４ｂが係合することで、外側部材１２と内側部材１４とが化粧品容器１の長さ方向にずれることが防止され、凸部１２ｃと凹部１４ｃが係合することで、外側部材１２と内側部材１４とが相対的に回転することが防止されるようになっている。
【００３０】
図６に示すように、第二容器５０の開口端部近傍の内周には略半円状の凹溝５２ｂが形成されている。凹溝５２ｂには略半球状の突部５２ｃが形成されている。つまり、凹溝５２ｂにおいて、突部５２ｃの部分だけは、盛り上がっている。突部５２ｃは、少なくとも一つ形成されるが、本実施形態において、突部５２ｃは、略半円状の凹溝５２ｂにおいて、９０度の角度ごとに１つ、配置されている。
【００３１】
図７の上側の図は、第二容器５０の内側部材５４の一部を示す概略断面図である。第二容器５０の内側部材５４の開口端部近傍の外周には略半円状の突条５４ｂが形成されている。この突条５４ｂは、外側部材５２と内側部材５４が係合するときに凹溝５２ｂと係合するようになっている。図７の下側の図は、内側部材５４の外周の一部を示す概略拡大図である。突条５４ｂには略半球状の凹部５４ｃが形成されている。つまり、突条５４ｂにおいて、凹部５４ｃの部分だけは、高さが低くなっている。凹部５４ｃは、上述の突部５２ｃと同数、同角度で配置されており、外側部材５２と内側部材５４が係合するときに突部５２ｃと係合するようになっている。円状の突条は、その幅が化粧品容器１全体長さＬ１の１．８％以上２．５％以下に規定されている。
【００３２】
凹溝５２ｂと突条５４ｂが係合することで、外側部材５２と内側部材５４とが化粧品容器１の長さ方向にずれることが防止され、突部５２ｃと凹部５４ｃが係合することで、外側部材１２と内側部材１４とが相対的に回転することが防止されるようになっている。
【００３３】
上述のように、内側部材１４（５４）と外側部材１２（５２）を係合するための構成が
第一容器１０（第二容器５０）の開口端部近傍に配置されており、外側部材１２（５２）が透明性を有するから、突条１４ｂ（５４ｂ）と凹溝１２ｂ（５２ｂ）で形成される構造が輪状の模様となって表れ、突部１２ｃ（５２ｃ）と凹部１４ｃ（５２ｃ）で形成される構造が、上述の輪状の模様内において、点状の模様となって表れる。使用者は、これらの模様を視認することができる。使用者が第一容器１０と第二容器５０の係合及び離脱の操作を行うときに、第一容器１０及び第二容器５０において、それぞれ、最大の直径になっている開口端部近傍に力を加えるのが効果的であるが、第一容器１０と第二容器５０を係合するための構成が、開口端部近傍を視認するための目印となり、使用者が速やかに適切な部分に力を加えることを可能にする。
【００３４】
なお、本発明の化粧品容器は、上記実施形態に限らず、本発明の要旨を逸脱しない範囲内において種々変更を加えることができる。
【符号の説明】
【００３５】
１    化粧品容器
１０  第一容器
１２  外部部材
１４  内部部材
５０  第二容器
５２  外部部材
５４  内部部材
【図１】
2017145200.tif 000003
【図２】
2017145200.tif 000004
【図３】
2017145200.tif 000005
【図４】
2017145200.tif 000006
【図５】
2017145200.tif 000007
【図６】
2017145200.tif 000008
【図７】
2017145200.tif 000009
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
使用者の片手で保持できる化粧品容器であって、
塗布具が配置され、長さ方向と垂直な方向の断面が略円形に形成された第一容器と、
前記第一容器と着脱自在に係合し、前記第一容器よりも長さが長く、長さ方向と垂直な方向の断面が略円形に形成され、塗布用物質が貯留される第二容器とを、
備え、
前記第一容器と前記第二容器が係合したときの化粧品容器の外形が略紡錘形に形成され、
前記化粧品容器の長さにおいて、前記第一容器の長さは３０％以上４５％以下を占め、前記第二容器の長さは５５％以上７０％以下を占めるように形成され、
前記化粧品容器の長さ方向の中間位置を第一中間位置とし、前記第一中間位置と前記化粧品容器の閉塞端部までの長さの中間位置を第二中間位置とし、前記第二中間位置と前記閉塞端部までの長さの中間位置を第三中間位置とするとき、前記第一中間位置における直径φ２が前記化粧品容器における最大直径であり、前記第二中間位置における直径φ３の前記直径φ２に対する比率φ３／φ２が０．８５以上０．９０以下であり、前記第三中間位置における直径φ４の前記直径φ２に対する比率φ４／φ２が０．５２以上０．５６以下であり、
前記第一容器の開口端部と前記第二容器の開口端部が接する位置における直径φ５の前記直径φ２に対する比率φ５／φ２が、０．９４以上０．９８以下となるように形成されており、
前記第一容器及び前記第二容器は、それぞれ、略相似形状に形成された内側部材と外側部材を有し、
前記外側部材は透明性を有する材料で形成され、
前記外側部材の大部分の壁厚は、前記直径φ２の８％以上９．５％以下である、
化粧品容器。
【請求項２】
前記第一容器と前記第二容器とは、一方の雄螺子が他方の雌螺子と螺合することで係合するように形成されており、
前記内側部材の開口端部近傍の外周に円状の突条が形成され、
前記外側部材の開口端部近傍の内周に円状の凹溝が形成され、
前記突条には、少なくとも１つの凹部が形成され、
前記凹溝には、前記凹部と同数の突部が形成され、
前記突条と前記凹溝が係合することで、前記内側部材と前記外側部材が前記化粧品容器の長さ方向にずれることが防止され、
前記凹部と前記凸部が係合することで、前記内側部材と前記外側部材とが相対的に回転することが防止されように構成されている、
請求項１に記載の化粧品容器。
【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
使用者の片手で保持できる化粧品容器であって、
塗布具が配置され、長さ方向と垂直な方向の断面が略円形に形成された第一容器と、
前記第一容器と着脱自在に係合し、前記第一容器よりも長さが長く、長さ方向と垂直な方向の断面が略円形に形成され、塗布用物質が貯留される第二容器とを、
備え、
前記第一容器と前記第二容器が係合したときの化粧品容器の外形が略紡錘形に形成され、
前記化粧品容器の長さにおいて、前記第一容器の長さは３０％以上４５％以下を占め、前記第二容器の長さは５５％以上７０％以下を占めるように形成され、
前記化粧品容器の長さ方向の中間位置を第一中間位置とし、前記第一中間位置と前記化粧品容器の閉塞端部までの長さの中間位置を第二中間位置とし、前記第二中間位置と前記閉塞端部までの長さの中間位置を第三中間位置とするとき、前記第一中間位置における直径φ２が前記化粧品容器における最大直径であり、前記第二中間位置における直径φ３の前記直径φ２に対する比率φ３／φ２が０．８５以上０．９０以下であり、前記第三中間位置における直径φ４の前記直径φ２に対する比率φ４／φ２が０．５２以上０．５６以下であり、
前記第一容器の開口端部と前記第二容器の開口端部が接する位置における直径φ５の前記直径φ２に対する比率φ５／φ２が、０．９４以上０．９８以下となるように形成されており、
前記第一容器及び前記第二容器は、それぞれ、略相似形状に形成された内側部材と外側部材を有し、
前記外側部材は透明性を有する材料で形成され、
前記外側部材の大部分の壁厚は、前記直径φ２の８％以上９．５％以下である、
化粧品容器。
【請求項２】
前記第一容器と前記第二容器とは、一方の雄螺子が他方の雌螺子と螺合することで係合するように形成されており、
前記内側部材の開口端部近傍の外周に円状の突条が形成され、
前記外側部材の開口端部近傍の内周に円状の凹溝が形成され、
前記突条には、少なくとも１つの凹部が形成され、
前記凹溝には、前記凹部と同数の突部が形成され、
前記突条と前記凹溝が係合することで、前記内側部材と前記外側部材が前記化粧品容器の長さ方向にずれることが防止され、
前記凹部と前記突部が係合することで、前記内側部材と前記外側部材とが相対的に回転することが防止されように構成されている、
請求項１に記載の化粧品容器。
【手続補正書】
【提出日】平成28年7月14日(2016.7.14)
【手続補正１】
【補正対象書類名】明細書
【補正対象項目名】全文
【補正方法】変更
【補正の内容】
【発明の詳細な説明】
【技術分野】
【０００１】
本発明は化粧品容器に関する。
【背景技術】
【０００２】
使用者が効果的かつ快適に、容器を操作して、マスカラ等の化粧料を塗布できることが、化粧料塗布用の化粧品容器にとって重要である。
【０００３】
例えば特許文献１において、見栄えが良好で、被塗布部が面のような場合にも塗布しやすい塗布用容器が提案されている。
【先行技術文献】
【特許文献】
【０００４】
【特許文献１】特開２００８−６７９５９
【発明の概要】
【発明が解決しようとする課題】
【０００５】
ところで、使用者が塗布用の化粧品容器を使用するときには、容器を把持し（ステップ１）、容器から塗布具を取り出し（ステップ２）、塗布具に化粧料を付し（ステップ３）、顔等に化粧料を塗布し（ステップ４）、塗布後に塗布具を格納する（ステップ５）という一連の動作が必要である。しかし、従来の技術においては、ステップ３とステップ４についての改善は提案されているが、ステップ１、２及び５に関連する問題についての改善は不十分である。
【０００６】
本発明は、上記を踏まえて、塗布用の化粧品容器を把持する工程、容器から塗布具を取り出す工程、塗布具を格納する工程において、使用者が効果的かつ快適に使用できる化粧品容器を提供するものである。
【課題を解決するための手段】
【０００７】
第一の発明は、使用者の片手で保持できる化粧品容器であって、塗布具が配置され、長さ方向と垂直な方向の断面が略円形に形成された第一容器と、前記第一容器と着脱自在に係合し、前記第一容器よりも長さが長く、長さ方向と垂直な方向の断面が略円形に形成され、塗布用物質が貯留される第二容器とを、備え、前記第一容器と前記第二容器が係合したときの化粧品容器の外形が略紡錘形に形成され、前記化粧品容器の長さにおいて、前記第一容器の長さは３０％以上４５％以下を占め、前記第二容器の長さは５５％以上７０％以下を占めるように形成され、前記化粧品容器の長さ方向の中間位置を第一中間位置とし、前記第一中間位置と前記化粧品容器の閉塞端部までの長さの中間位置を第二中間位置とし、前記第二中間位置と前記閉塞端部までの長さの中間位置を第三中間位置とするとき、前記第一中間位置における直径φ２が前記化粧品容器における最大直径であり、前記第二中間位置における直径φ３の前記直径φ２に対する比率φ３／φ２が０．８５以上０．９０以下であり、前記第三中間位置における直径φ４の前記直径φ２に対する比率φ４／φ２が０．５２以上０．５６以下であり、前記第一容器の開口端部と前記第二容器の開口端部が接する位置における直径φ５の前記直径φ２に対する比率φ５／φ２が、０．９４以上０．９８以下となるように形成された、化粧品容器である。
【０００８】
本発明の発明者は、全体として棒状で、片手で保持できる化粧品容器について、化粧品容器の操作時における人間の掌及び指の動きと化粧品容器の構造の関係を研究し、試行錯誤の結果、第一の発明の構成によれば、化粧品容器を把持する工程、容器から塗布具を取り出す工程、塗布具を格納する工程において、使用者が効果的かつ快適に使用できることを見出した。  
【０００９】
第二の発明は、第一の発明の構成において、前記第一容器及び前記第二容器は、それぞれ、略相似形状に形成された内側部材と外側部材を有し、前記外側部材は透明性を有する材料で形成され、前記外側部材の大部分の壁厚は、前記直径φ２の８％以上９．５％以下である化粧品容器である。
【００１０】
本発明の発明者は、使用者が化粧品容器を握るときに指に加える力と化粧品容器が使用者に与える視覚的効果の関係を研究し、外側部材が透明性を有する場合に、外側部材が不透明である場合に比べて、わずかに大きな力が指に加えられ、化粧品容器の操作に好適であることを見出した。これは、透明性を有する外側部材によって、使用者に外側部材よりも内側部材をより強く意識させることに起因するものと考えられる。そして、片手で保持できる程度の棒状の化粧品容器において、外側部材の大部分の壁厚が化粧品容器の最大直径φ２の８％以上９．５％以下である場合に、化粧品容器の操作にとって好適な力が加えられることに適することを見出した。好適な力が指に加えられることにより、第一容器と第二容器の係合及び離脱が効果的かつ快適に実施される。  
【００１１】
第三の発明は、第二の発明の構成において、前記第一容器と前記第二容器とは、一方の雄螺子が他方の雌螺子と螺合することで係合するように形成されており、前記内側部材の開口端部近傍の外周に円状の突条が形成され、前記外側部材の開口端部近傍の内周に円状の凹溝が形成され、前記突条には、少なくとも１つの凹部が形成され、前記凹溝には、前記凹部と同数の突部が形成され、前記突条と前記凹溝が係合することで、前記内側部材と前記外側部材が前記化粧品容器の長さ方向にずれることが防止され、前記凹部と前記突部が係合することで、前記内側部材と前記外側部材とが相対的に回転することが防止されように構成されている化粧品容器である。
【００１２】
第三の発明の構成によれば、内側部材と外側部材を係合するための構成が開口端部近傍に配置されており、外側部材が透明性を有するから、使用者がその構成を視認することができる。使用者が第一容器と第二容器の係合及び離脱の操作を行うときに、開口端部近傍に力を加えるのが望ましい。本発明の構成によれば、内側部材と外側部材を係合するための構成が、開口端部近傍を示す目印となり、使用者が速やかに適切な部分に力を加えることを可能にする。
【発明の効果】
【００１３】
本発明にかかる化粧品容器によれば、化粧品容器を把持する工程、容器から塗布具を取り出す工程、塗布具を格納する工程において、使用者が効果的かつ快適に使用できる。
【図面の簡単な説明】
【００１４】
【図１】本発明の一実施形態にかかる化粧品容器の概略全体図である。
【図２】第一容器と第二容器の開口端部の端面を示す概略図である。
【図３】本発明の一実施形態にかかる化粧品容器の内部を示す概略全体図である。
【図４】第一容器の外側部材の概略断面である。
【図５】第一容器の内側部材の概略断面及び外周の一部を示す概略図である。
【図６】第二容器の外側部材を示す概略断面図である。
【図７】第二容器の内側部材を示す概略断面及び外周の一部を示す概略図である。
【発明を実施するための形態】
【００１５】
以下、図面に基づき本発明の好適な実施形態を説明する。
【００１６】
図１及び図３に示すように、化粧品容器１は、第一容器１０と第二容器５０から構成され、左右対称の紡錘形に形成されている。化粧品容器１の長さ方向（図３のＸ軸の方向）と垂直な方向の断面は略円形である。すなわち、図２に示すように、第一容器１０及び第二容器５０の長さ方向と垂直方向の断面形状は略円形である。また、第二容器５０は第一容器１０よりも長さが長く、塗布用物質（化粧料）が貯留されている。塗布用物質は、例えば、マスカラである。化粧品容器１の大きさは、片手で保持できる程度であり、携帯可能である。第一容器１０と第二容器５０は雄螺子と雌螺子で着脱自在に係合するように構成されており、係合させるとき、及び、係合を解除して離脱させるときには、例えば、第二容器５０を左手の小指以外の４本の指で保持し、第一容器１０を右手の親指、人差し指、及び中指で回転させる。
【００１７】
図３に示すように、第一容器１０は、外側部材１２及び内側部材１４で構成されている。内側部材１４にはブラシスティック１６が配置され、その先端に塗布具としてのブラシ２０が配置されている。
【００１８】
第二容器５０は、外側部材５２及び内側部材５４で構成されており、内側部材５４にはマスカラ（図示せず）が貯留されている。内側部材５４の開口端部近傍には、パッキング５６が配置されており、ブラシ２０に付着するマスカラを適度な量に制御するようになっている。ブラシ２０がパッキング５６を通過することで、余分なマスカラが内側部材５４内に落とされ、適量のマスカラがブラシ２０に残存する。
【００１９】
化粧品容器１の各部材は、樹脂で形成される。外側部材１２及び外側部材５２は、透明度の高い樹脂材料、例えば、ポリエチレンテレフタレート（ＰＥＴ）を射出成型して形成される。内側部材１４は、例えば、アクリロニトリル・ブタジエン・スチレン（ＡＢＳ）を射出成型して形成される。内側部材５４は、例えば、ポリプロピレン（ＰＰ）を射出成型して形成される。内側部材１４及び内側部材５４は不透明であり、例えば、光沢色が付されている。外側部材１２及び外側部材５２を透して、内側部材１４及び内側部材５４を視認することができる。
【００２０】
第一容器１０の開口端部近傍には雌螺子が形成され、第二容器５０の雄螺子と螺合するようになっている。双方の螺子の螺合によって、第一容器１０と第二容器５０が着脱自在に係合する。
【００２１】
本実施形態において、化粧品容器１の全体の長さＬ１（図１参照）は、１１５．２ｍｍ（ミリメートル）である。第一容器１０の長さＬ６は、長さＬ１の３０％以上４５％以下が望ましく、本実施形態においては４３．２ｍｍである。第二容器５０の長さＬ５は、長さＬ１の５５％以上７０％以下が望ましく、本実施形態においては７２ｍｍである。
【００２２】
図１に示すように、長さＬ２は長さＬ１の５０％の長さであり、長さＬ３は長さＬ２の５０％の長さであり、長さＬ４は長さＬ３の５０％の長さである。化粧品容器１のいずれかの端部から、長さＬ２の位置を第一中間位置とし、長さＬ３の位置を第二中間位置とし、長さＬ４の位置を第三中間位置とする。第一中間位置における直径φ２が化粧品容器１の最大の直径であり、化粧品容器１の端部に向かうにつれて、直径が小さくなる。第二中間位置における直径φ３の直径φ２に対する比率φ３／φ２は０．８５以上０．９０以下望ましく、本実施形態においては、φ３が１８．１ｍｍ、φ２が２０．７ｍｍであり、φ３／φ２は０．８７である。第三中間位置における直径φ４の直径φ２に対する比率φ４／φ２は０．５２以上０．５６以下が望ましく、本実施形態におけるφ４は１１．２ｍｍであり、φ４／φ２は０．５４である。
【００２３】
また、第一容器１０の開口端部と第二容器５０の開口端部が接する位置における直径φ５の直径φ２に対する比率φ５／φ２は０．９４以上０．９８以下が望ましく、本実施形態におけるφ５は１９．９ｍｍであり、φ５／φ２は０．９６である。
【００２４】
本発明の発明者は、片手で保持できる程度の棒状の化粧品容器のうち、化粧料が貯留される貯留容器（本実施形態の第二容器５０に相当する。）と、ブラシが付されているブラシ容器（本実施形態の第一容器１０に相当する。）からなる化粧品容器について、操作時における人間の掌及び指の動きと化粧品容器の構造の関係を研究した。その結果、例えば、右利きの使用者においては、貯留容器を左手の小指以外の４本の指で保持し、ブラシ容器を右手の親指、人差し指、及び中指で回転させる場合が多いことを見出し、さらに、操作時における左右の手の形状の変化や動きについて研究した。左手の４本の指で貯留容器を保持するとき、掌と４本の指で自然に形成される空間の形状は円筒形状ではなく、親指方向が拡径した略円錐形状である。また、右手についても、３本の指で自然に形成される空間の形状は円筒形状ではなく、略円錐形状である。そして、貯留容器の外形形状は、その略円錐形状に好適なものが、掌及び指の自然な形状に整合し、望ましい。本発明の発明者は、このような分析に基づいて、試行錯誤の結果、化粧品容器全体として上記のように規定された紡錘形状であり、貯留容器とブラシ容器との寸法の比率も上記の数値範囲であるときに、人の手の構造に基づく人間工学的観点から、化粧品容器を把持する工程、容器から塗布具を取り出す工程、塗布具を格納する工程において、使用者が効果的かつ快適に使用できることを見出した。  
【００２５】
外側部材１２の大部分の壁厚ｄ１（図４参照）及び外側部材５２の大部分の壁厚ｄ２（図６参照）は、直径φ２の８％以上９．５％以下に規定される。大部分というのは、外側部材１２及び外側部材５２の閉塞端部及び開口端部近傍以外の部分を意味する。望ましくは、壁厚ｄ１は直径φ２の８％以上９％以下であり、壁厚ｄ２は直径φ２の８．５％以上９．５％以下である。また、壁厚ｄ１がわずかに壁厚ｄ２よりも小さい方が望ましく、本実施形態においては、壁厚ｄ１は１．７５ｍｍ、直径φ２の８．５％であり、壁厚ｄ２は１．９０ｍｍ、直径φ２の９．２％である。
【００２６】
本発明の発明者は、使用者が化粧品容器を握るときに指に加える力と化粧品容器が使用者に与える視覚的効果の関係を研究した。その結果、外側部材１２及び外側部材５２が透明性を有する場合、外側部材１２及び外側部材５２が不透明である場合に比べて、わずかに大きな力が指に加えられ、化粧品容器１の操作に好適であることを見出した。これは、透明部材の存在が、使用者に対して、外側部材１２（５２）を透して視認することになる内側部材１４（５４）をより強く意識させることに起因するものと考えられる。そして、化粧品容器１において、外側部材１２（５２）の大部分の壁厚が上述の数値範囲内にあるときに、使用者が好適な力を外側部材１２（５２）に加えることを見出した。好適な力が指に加えられることにより、第一容器１０と第二容器５０の係合及び離脱が失敗することなく効果的かつ快適に実施される。
【００２７】
図４に示すように、第一容器１０の外側部材１２の閉塞端部には内側に突き出る突起１２ａが形成されており、開口端部近傍の内周には円状の凹溝１２ｂが形成されている。凹溝１２ｂには略半球状の突部１２ｃが形成されている。つまり、凹溝１２ｂにおいて、突部１２ｃの部分だけは、盛り上がっている。突部１２ｃは、少なくとも一つ形成され、本実施形態において、突部１２ｃは、円状の溝１２ｂにおいて、９０度の角度ごとに１つ、配置されている。
【００２８】
図５の上側の図は、第一容器１０の内側部材１４の概略断面図である。内側部材１４の閉塞端部に外側に向かって開放されているくぼみ部１４ａが配置されている。くぼみ部１４ａは、外側部材１２と内側部材１４が係合するときに突起１２ａと係合するようになっている。内側部材１４の開口端部近傍の外周には円状の突条１４ｂが形成されている。この突条１４ｂは、外側部材１２と内側部材１４が係合するときに凹溝１２ｂと係合するようになっている。図５の下側の図は、内側部材１４の外周の一部を示す概略拡大図である。突条１４ｂには略半球状の凹部１４ｃが形成されている。つまり、突条１４ｂにおいて、凹部１４ｃの部分だけは、高さが低くなっている。凹部１４ｃは、上述の突部１２ｃと同数、同角度で配置されており、外側部材１２と内側部材１４が係合するときに突部１２ｃと係合するようになっている。円状の突条は、その幅が化粧品容器１全体の長さＬ１の１．８％以上２．５％以下に規定されている。
【００２９】
凹溝１２ｂと突条１４ｂが係合することで、外側部材１２と内側部材１４とが化粧品容器１の長さ方向にずれることが防止され、突部１２ｃと凹部１４ｃが係合することで、外側部材１２と内側部材１４とが相対的に回転することが防止されるようになっている。
【００３０】
図６に示すように、第二容器５０の開口端部近傍の内周には円状の凹溝５２ｂが形成されている。凹溝５２ｂには略半球状の突部５２ｃが形成されている。つまり、凹溝５２ｂにおいて、突部５２ｃの部分だけは、盛り上がっている。突部５２ｃは、少なくとも一つ形成されるが、本実施形態において、突部５２ｃは、円状の凹溝５２ｂにおいて、９０度の角度ごとに１つ、配置されている。
【００３１】
図７の上側の図は、第二容器５０の内側部材５４の一部を示す概略断面図である。第二容器５０の内側部材５４の開口端部近傍の外周には円状の突条５４ｂが形成されている。この突条５４ｂは、外側部材５２と内側部材５４が係合するときに凹溝５２ｂと係合するようになっている。図７の下側の図は、内側部材５４の外周の一部を示す概略拡大図である。突条５４ｂには略半球状の凹部５４ｃが形成されている。つまり、突条５４ｂにおいて、凹部５４ｃの部分だけは、高さが低くなっている。凹部５４ｃは、上述の突部５２ｃと同数、同角度で配置されており、外側部材５２と内側部材５４が係合するときに突部５２ｃと係合するようになっている。円状の突条は、その幅が化粧品容器１全体長さＬ１の１．８％以上２．５％以下に規定されている。
【００３２】
凹溝５２ｂと突条５４ｂが係合することで、外側部材５２と内側部材５４とが化粧品容器１の長さ方向にずれることが防止され、突部５２ｃと凹部５４ｃが係合することで、外側部材５２と内側部材５４とが相対的に回転することが防止されるようになっている。
【００３３】
上述のように、内側部材１４（５４）と外側部材１２（５２）を係合するための構成が
第一容器１０（第二容器５０）の開口端部近傍に配置されており、外側部材１２（５２）が透明性を有するから、突条１４ｂ（５４ｂ）と凹溝１２ｂ（５２ｂ）で形成される構造が輪状の模様となって表れ、突部１２ｃ（５２ｃ）と凹部１４ｃ（５２ｃ）で形成される構造が、上述の輪状の模様内において、点状の模様となって表れる。使用者は、これらの模様を視認することができる。使用者が第一容器１０と第二容器５０の係合及び離脱の操作を行うときに、第一容器１０及び第二容器５０において、それぞれ、最大の直径になっている開口端部近傍に力を加えるのが効果的であるが、第一容器１０と第二容器５０を係合するための構成が、開口端部近傍を視認するための目印となり、使用者が速やかに適切な部分に力を加えることを可能にする。
【００３４】
なお、本発明の化粧品容器は、上記実施形態に限らず、本発明の要旨を逸脱しない範囲内において種々変更を加えることができる。
【符号の説明】
【００３５】
１    化粧品容器
１０  第一容器
１２  外側部材
１４  内側部材
５０  第二容器
５２  外側部材
５４  内側部材
【国際調査報告】
2017145200.tif 000010
2017145200.tif 000011
2017145200.tif 000012
2017145200.tif 000013